(57)【特許請求の範囲】
【請求項１】
冷凍サイクル装置の室外機の外表面に取り付けられる保護部材であって、
金属製のワイヤーを主体に構成された縦方向に延びる複数の縦条部材及び横方向に延びる複数の横条部材を格子状に配置して形成され、
複数の前記縦条部材のうち一部は、当該縦条部材の下端部を前記室外機の外側へ曲げて形成された外側曲げ部を有し、
複数の前記縦条部材のうち一部は、当該縦条部材の下端部を前記室外機の内側へ曲げて形成された内側曲げ部を有し、
前記外側曲げ部及び前記内側曲げ部は、前記外側曲げ部と前記内側曲げ部とで前記室外機の立上り部の両面を押圧することで前記立上り部を前記外側曲げ部と前記内側曲げ部との間に挟持する構成である、
冷凍サイクル装置の室外機の保護部材。
【請求項２】
前記外側曲げ部は、横方向に並んで配置された前記縦条部材のうち、横方向における両側の２本の前記縦条部材と中央の前記縦条部材との下端部に設けられ、
前記内側曲げ部は、前記外側曲げ部を備えた前記縦条部材の間に設けられた前記縦条部材の下端部に設けられている、
請求項１に記載の冷凍サイクル装置の室外機の保護部材。
【請求項３】
前記保護部材は、
前記縦条部材の上端部に設けられて締結部材が通されて前記室外機に固定される取り付け部、
を更に備えている請求項１又は２に記載の冷凍サイクル装置の室外機の保護部材。
【請求項４】
前記内側曲げ部は、
前記室外機の内側へ向かって突出するように湾曲し前記立上り部の厚み方向へ弾性変形可能な第１湾曲部と、
前記第１湾曲部の下側に設けられて前記室外機の外側へ向かって突出するように湾曲した第２湾曲部と、を有し、
前記第２湾曲部と前記外側曲げ部とは、前記立上り部の厚み方向において少なくとも一部が重なっている、
請求項１から３のいずれか一項に記載の冷凍サイクル装置の室外機の保護部材。
【請求項５】
前記第２湾曲部は、前記立上り部に形成された係止穴に係止可能である、
請求項４に記載の冷凍サイクル装置の室外機の保護部材。
【発明の詳細な説明】
【技術分野】
【０００１】
本発明の実施形態は、冷凍サイクル装置の室外機の保護部材に関する。
【背景技術】
【０００２】
例えば冷凍サイクル装置の一種である空気調和機の室外機の内部には、熱交換器が設けられており、この熱交換器の一部は、室外機から外部に露出している。従来、この熱交換器の露出部分を保護するための保護部材が知られている。例えば特許文献１には、金網で構成された保護部材が開示されている。この保護部材は、室外機とは別体に構成されており、室外機の外表面つまり熱交換器の外周面側に取り付けられる。
【０００３】
この特許文献１の保護部材は、当該保護部材の下端部を、熱交換器と立上り部との間に圧入するように構成されている。ここで、一般的には、熱交換器と立上り部との間の距離寸法は、それほど高い精度で管理されておらずバラツキが比較的大きい。そのため、特許文献１の構成では、熱交換器と立上り部の間の寸法が大きいと、熱交換器と立上り部との間に保護部材がしっかりと保持されない。逆に、熱交換器と立上り部との間の寸法が小さいと、熱交換器と立上り部との間に保護部材の下端部が入っていかず、保護部材を取り付けることができない。
【先行技術文献】
【特許文献】
【０００４】
【特許文献１】実開昭６１−９６２６９号公報
【発明の概要】
【発明が解決しようとする課題】
【０００５】
そこで、熱交換器と筐体の立上り部との間の寸法に寄らず、室外機に容易に取り付けることができる冷凍サイクル装置の室外機の保護部材を提供する。
【課題を解決するための手段】
【０００６】
冷凍サイクル装置の室外機の保護部材は、冷凍サイクル装置の室外機の外表面に取り付けられる保護部材である。保護部材は、金属製のワイヤーを主体に構成された縦方向に延びる複数の縦条部材及び横方向に延びる複数の横条部材を格子状に配置して形成されている。複数の前記縦条部材のうち一部は、当該縦条部材の下端部を前記室外機の外側へ曲げて形成された外側曲げ部を有している。複数の前記縦条部材のうち一部は、当該縦条部材の下端部を前記室外機の内側へ曲げて形成された内側曲げ部を有している。前記外側曲げ部及び前記内側曲げ部は、前記外側曲げ部と前記内側曲げ部とで前記室外機の立上り部の両面を押圧することで前記立上り部を前記外側曲げ部と前記内側曲げ部との間に挟持する構成である。
【図面の簡単な説明】
【０００７】
【図１】一実施形態による保護部材を室外機に取り付けた状態で示す斜視図
【図２】一実施形態による保護部材について、図１のＸ２−Ｘ２線に沿った断面のうち上端部を拡大して示す図
【図３】一実施形態による保護部材について、図１のＸ３−Ｘ３線に沿った断面のうち下端部を拡大して示す図
【図４】一実施形態による保護部材が室外機に取り付けられている途中の状態を示す図３相当図
【図５】一実施形態による保護部材について、図１のＸ５−Ｘ５線に沿った断面のうち下端部を拡大して示す図
【発明を実施するための形態】
【０００８】
以下、一実施形態について図面を参照しながら説明する。
本実施形態では、冷凍サイクル装置として空気調和機を例に説明する。なお、冷凍サイクル装置の室外機としては、空気調和機の室外機の他にヒートポンプ式給湯機の熱源機、冷凍機等がある。
［室外機の構成］
まず、図１に示す室外機５０の構成について説明する。室外機５０は、保護部材１０の取り付け対象の一例であり、空気調和機の室外機である。室外機５０は、熱交換器５１や図示しないファン等を内蔵している。熱交換器５１の一部は、室外機５０の外部に露出している。また、室外機５０は、熱交換器５１の露出側とは反対側に、図示しないファンからの風を室外機５０の外部に吐出するための吐出口を有している。なお、本実施形態では、熱交換器５１が露出している面を室外機５０の背面側又は後側とし、熱交換器５１が露出している面とは反対側つまり図示しない吐出口が設けられている面を、室外機５０の前面側又は前側とする。また、室外機５０の設置状態における重力方向を、室外機５０の上下方向とする。そして、前後方向及び上下方向に対する直角方向を、室外機５０の横方向とする。
【０００９】
室外機５０は、筐体６０を有している。筐体６０は、室外機５０の外殻を構成している。筐体６０は、天板６１、底板６２、側板６３、６４、及び図示しない前板を組み合わせることで、矩形の箱状に形成されている。天板６１、底板６２、側板６３、６４、及び図示しない前板は、それぞれ金属製の板を曲げ加工等することにより形成されている。筐体６０の背面側において側板６３、６４間は離間しており、これにより、筐体６０の背面側の大部分は開放されている。筐体６０内に設けられた熱交換器５１は、この側板６３、６４間の開放部分から筐体６０の外部に露出している。
【００１０】
天板６１は、図１及び図２に示すように、天井部６１１と、立下り部６１２と、を一体に有している。天井部６１１は、全体として設置面に対して略平行となるような平板状に形成されている。立下り部６１２は、天井部６１１の周囲を下方へ略直角に折り曲げたように形成されており、天井部６１１に対して略直角下方へ立ち下がっている。底板６２は、図１及び図３に示すように、底部６２１と、立上り部６２２と、を一体に有している。底部６２１は、全体として設置面に対して略平行となるような平板状に形成されている。立上り部６２２は、底部６２１の後端部を上方へ略直角に折り曲げたように形成されており、底部６２１に対して略直角上方へ立ち上がっている。
【００１１】
［保護部材の構成］
次に、保護部材１０の構成について説明する。保護部材１０は、図１に示すように、筐体６０の熱交換器５１側つまり背面側に着脱可能に取り付けられて、熱交換器５１の外側を覆うことができる。保護部材１０は、複数の条部材１１、１２を格子状に配置して構成されている。本実施形態の場合、保護部材１０は、複数の縦条部材１１と、複数の横条部材１２と、をそれぞれ直交するように配置することで、格子網状に形成されている。条部材１１、１２は、例えば金属製のワイヤーや細長い棒状の部材を主体に構成されている。そして、条部材１１、１２は、金属製のワイヤー等をウレタン等の樹脂で被膜して構成されている。
【００１２】
例えば、保護部材１０は、次のように製造される。すなわち、まず、所定の長さに切り揃えた金属製のワイヤーを、格子状つまり縦方向及び横方向に等間隔に配置する。そして、縦方向に延びるワイヤーつまり縦条部材１１と、横方向に延びるワイヤーつまり横条部材１２との交差部分を溶接し、その後、縦条部材１１及び横条部材１２をウレタン等の樹脂で被膜する。なお、条部材１１、１２の材質は上記したものに限定されるものではなく、金属のみであっても良い。また、本実施形態の場合、縦条部材１１及び横条部材１２は、それぞれ同一外径のワイヤーで構成されているが、縦条部材１１と横条部材１２との外径は異なっていても良い。
【００１３】
保護部材１０は、取り付け部２０と、圧接部３０と、を有している。取り付け部２０は、図１及び図２に示すように、複数の条部材１１、１２のうち縦方向に延びるように配置された縦条部材１１の上端部つまり天板６１側に設けられている。本実施形態の場合、取り付け部２０は、図１に示すように、横方向に並んで配置された７本の縦条部材１１のうち、両側の２本の縦条部材１１と中央の縦条部材１１との上端部に設けられている。なお、取り付け部２０の数や配置は、保護部材１０のサイズや取り付け対象となる室外機５０のサイズ等に応じて適宜変更することができる。
【００１４】
取り付け部２０は、縦条部材１１の上端部を、ネジ等の締結部材７０が挿通可能となるように巻回して形成されている。この場合、立下り部６１２は、取り付け部２０に対応する位置に、図示しない雌ネジ穴が形成されている。そして、締結部材７０は、取り付け部２０に通された後、立下り部６１２の図示しない雌ネジ穴にねじ込まれる。これにより、保護部材１０の上端部は、締結部材７０を介して、立下り部６１２に固定される。つまり、これにより、保護部材１０の上端部は、筐体６０に取り付けられる。
【００１５】
圧接部３０は、図１及び図３に示すように、複数の条部材１１、１２のうち縦方向に延びるように配置された縦条部材１１の下端部つまり底板６２側に設けられている。本実施形態の場合、圧接部３０は、図１に示すように、横方向に並んで配置された７本の縦条部材１１のうち両側の２本を除く５本の縦条部材１１の下端部に設けられている。
【００１６】
横方向に並んで配置された７本の縦条部材１１のうち両側の２本を除く５本の縦条部材１１は、圧接部３０の構成要素として、それぞれ外側曲げ部３１又は内側曲げ部３２のいずれか一方を有している。すなわち、圧接部３０は、外側曲げ部３１と内側曲げ部３２とから構成されている。そして、圧接部３０は、外側曲げ部３１と内側曲げ部３２との相互作用によって、立上り部６２２を圧接可能に構成されている。なお、本実施形態において、「圧接」とは、溶接等による接合を意味するものではなく、立上り部６２２の両面を外側曲げ部３１と内側曲げ部３２とで押圧することで、立上り部６２２を外側曲げ部３１と内側曲げ部３２との間に挟持することを意味する。
【００１７】
外側曲げ部３１は、圧接部３０を構成する５本の縦条部材１１のうちの一部、この場合、横方向における両側の２本の縦条部材１１と中央の縦条部材１１との下端部に設けられている。外側曲げ部３１は、この縦条部材１１の下端部を室外機５０の外側つまり筐体６０の外側へ曲げるようにして形成されている。
【００１８】
具体的には、外側曲げ部３１は、図３〜図５に示すように、第１曲げ部３１１と、直線部３１２と、第２曲げ部３１３と、を一体に有している。第１曲げ部３１１は、縦条部材１１の下端部を前方つまり筐体６０の内方へ直線状にやや折り曲げるようにして形成されている。直線部３１２は、第１曲げ部３１１から連続する形態で第１曲げ部３１１の下側に設けられている。直線部３１２は、縦条部材１１において第１曲げ部３１１、直線部３１２、及び第２曲げ部３１３を除く他の大部分と略平行となるように形成されている。
【００１９】
第２曲げ部３１３は、直線部３１２から連続する形態で、直線部３１２の下側この場合縦条部材１１の最下端部に設けられている。第２曲げ部３１３は、縦条部材１１の最下端部を後方つまり筐体６０の外側へ直線状にやや折り曲げるようにして形成されている。この場合、第２曲げ部３１３の先端部３１４つまり縦条部材１１の下方の先端部３１４は、縦条部材１１において第１曲げ部３１１、直線部３１２、及び第２曲げ部３１３を除く他の大部分よりも後方つまり筐体６０に対してやや外側に位置している。この第２曲げ部３１３により、外側曲げ部３１は、全体として筐体６０の外側へ曲げるように構成されている。
【００２０】
内側曲げ部３２は、圧接部３０を構成する５本の縦条部材１１のうちの一部、この場合、外側曲げ部３１を有していない縦条部材１１の下端部に設けられている。内側曲げ部３２は、この縦条部材１１の下端部を縦条部材１１の下端部を室外機５０の内側つまり筐体６０の内側へ曲げるようにして形成されている。
【００２１】
具体的には、内側曲げ部３２は、図３〜図５に示すように、第１湾曲部３２１と、第２湾曲部３２２と、を一体に有している。第１湾曲部３２１は、縦条部材１１の下端部を前方つまり筐体６０の内方へ向かって突出するように湾曲させて形成されている。第２湾曲部３２２は、第１湾曲部３２１から連続する形態で第１湾曲部３２１の下側に設けられている。第２湾曲部３２２は、縦条部材１１の最下端部を後方つまり筐体６０の外側へ向かって突出するように湾曲させて形成されている。
【００２２】
この場合、図４に示すように、縦条部材１１の径方向の中心を通る中心線Ｈを基準にした場合、保護部材１０が筐体６０に取り付けられていない状態において、縦条部材１１のうち第１湾曲部３２１及び第２湾曲部３２２を除く他の大部分に対する第１湾曲部３２１の突出寸法Ｌ１は、第２湾曲部３２２の先端部３２３に対する第２湾曲部３２２の突出寸法Ｌ２よりも大きい。これにより、図３に示すように、第２湾曲部３２２が、立上り部６２２の厚み方向つまり筐体６０の前後方向へ押圧された場合には、第１湾曲部３２１が弾性変形する。すなわち、内側曲げ部３２は、外側曲げ部３１よりも弾性変形し易くなっている。
【００２３】
また、図４に示すように、保護部材１０が筐体６０に取り付けられていない状態において、第２湾曲部３２２は、外側曲げ部３１の先端部３１４よりも後方つまり筐体６０の内側に位置している。そして、保護部材１０が筐体６０に装着されていない状態では、外側曲げ部３１の直線部３１２と、内側曲げ部３２の第２湾曲部３２２とは、立上り部６２２の厚み方向つまり筐体６０の前後方向において少なくとも一部が重なっている。すなわち、外側曲げ部３１と内側曲げ部３２とにおいて、立上り部６２２の厚み方向における重なり代は、０ｍｍ以上に設定されている。また、外側曲げ部３１の先端部３１４と、内側曲げ部３２の先端部３２３とは、立上り部６２２の厚み方向つまり筐体６０の前後方向へ離間している。
【００２４】
［保護部材の取付］
次に、筐体６０に対する保護部材１０の取付手順の一例について説明する。作業者は、図４に示すように、外側曲げ部３１の先端部３１４と内側曲げ部３２と先端部３２３との間に立上り部６２２の上端部分が位置するようにして、保護部材１０を押し下げる。すると、図３に示すように、内側曲げ部３２の第１湾曲部３２１が立上り部６２２に押されて弾性変形する。これにより、内側曲げ部３２が後退し、外側曲げ部３１と内側曲げ部３２との間が押し広げられる。その結果、外側曲げ部３１と内側曲げ部３２との間に、立上り部６２２が圧接される。すなわち、圧接部３０に、立上り部６２２が圧接される。
【００２５】
この場合、図３に示すように、立上り部６２２が外側曲げ部３１と内側曲げ部３２との間に挿入されると、第１湾曲部３２１の復元力によって、内側曲げ部３２の第２湾曲部３２２が、立上り部６２２を外側へ押圧する。そして、外側曲げ部３１は、内側曲げ部３２の押圧力を受ける。これにより、外側曲げ部３１の直線部３１２と内側曲げ部３２の第２湾曲部３２２との間に、立上り部６２２が挟持される。その後、作業者は、締結部材７０を取り付け部２０に通した後、立下り部６１２の図示しない雌ネジ穴にねじ込み、保護部材１０の上端部を立下り部６１２に固定する。このようにして、保護部材１０が、室外機５０の筐体６０に取り付けられる。
【００２６】
この場合、外側曲げ部３１と内側曲げ部３２のうち、一方は線接触により立上り部６２２に接触し、他方は点接触により立上り部６２２に接触している。すなわち、本実施形態の場合、外側曲げ部３１の直線部３１２は、立上り部６２２の外側面に対して線状に接触つまり線接触している。一方、内側曲げ部３２の第２湾曲部３２２は、立上り部６２２の内側面に対して点状に接触つまり点接触している。これにより、第２湾曲部３２２によって立上り部６２２を押圧した状態であっても、第２湾曲部３２２と立上り部６２２との間に生じる摩擦を極力小さくすることができる。したがって、外側曲げ部３１と内側曲げ部３２との両方が立上り部６２２に対して線接触又は面接触している場合に比べて、外側曲げ部３１と内側曲げ部３２との間に立上り部６２２を挿入する際に生じる摩擦を低減させることができる。その結果、作業者は、円滑に外側曲げ部３１と内側曲げ部３２との間つまり圧接部３０に、立上り部６２２を円滑に圧接することができる。
【００２７】
また、筐体６０は、図１及び図５に示すように、係止穴６２３を有している。係止穴６２３は、立上り部６２２を略矩形に貫いて形成された穴である。本実施形態の場合、係止穴６２３は、複数この場合２つの内側曲げ部３２のうち１の内側曲げ部３２の第２湾曲部３２２に対応して設けられている。圧接部３０に立上り部６２２が圧接されると、係止穴６２３に対応する第２湾曲部３２２は、図５に示すように、筐体６０の内側から外側へ向かって係止穴６２３に通される。これにより、第２湾曲部３２２は、係止穴６２３に係止される。これによれば、保護部材１０が筐体６０から外れることをより確実に防止することができる。
【００２８】
以上説明した実施形態によれば、保護部材１０は、複数の条部材１１、１２を格子状に配置して形成されている。また、保護部材１０は、圧接部３０を備えている。圧接部３０は、縦方向に延びる縦条部材１１の下端部に設けられており、室外機５０の筐体６０の底部６２１から立ち上がった立上り部６２２を圧接可能に構成されている。
【００２９】
これによれば、作業者は、保護部材１０の下端部に設けられた圧接部３０に、筐体６０の立上り部６２２を圧接することで、保護部材１０の下端部を筐体６０に固定することができる。すなわち、この構成によれば、保護部材１０の下端部は、圧接部３０に立上り部６２２が圧接されることで、筐体６０に取り付けられる。したがって、熱交換機５１と立上り部６２２との隙間の寸法に関わらず、作業者は、保護部材１０を室外機５０の筐体６０に容易に取り付けることができる。
【００３０】
ここで、室外機５０は、背面となる熱交換器５１側の面つまり保護部材１０が取り付けられる側の面が、家屋等の壁に面しかつ近接して設置されることが多い。そのため、保護部材１０を取り付ける際の作業スペースの確保が難しい。そしてこの場合、作業者は、室外機５０の上方から、熱交換器５１側の面を覗き込むようにして、保護部材１０を取り付けると考えられる。したがって、室外機５０の背面下部の視認性は悪く、保護部材１０の下端部の取り付け作業は困難となっている。
【００３１】
これに対し、本実施形態において、圧接部３０は、保護部材１０の下端部に設けられている。そして、作業者は、保護部材１０を押し下げて圧接部３０に立上り部６２２を押し込むことで、保護部材１０の下端部を筐体６０に取り付けることができる。したがって、作業者は、保護部材１０の下端部に対するネジの締結作業等を行うことなく、保護部材１０の下端部を筐体６０に取り付けることができるため、保護部材１０の下端部の取り付け作業が容易になる。
【００３２】
これに対し、室外機５０の上部は作業スペースが確保し易く、したがって、保護部材１０の上端部の取り付け作業は、比較的容易である。そこで、本実施形態において、保護部材１０は、取り付け部２０を備えている。取り付け部２０は、複数の条部材１１、１２のうち縦方向に延びる縦条部材１１の上端部に設けられており、締結部材７０が通される。これにより保護部材１０は、天井部６１１の立下り部６１２に固定される。これによれば、保護部材１０の上端部を、より確実に筐体６０に固定することができる。その結果、取り付けの作業性の向上を図りつつ、保護部材１０をより強固に筐体６０に取り付けることができる。
【００３３】
圧接部３０は、外側曲げ部３１と、内側曲げ部３２と、を有している。外側曲げ部３１は、縦方向に延びる縦条部材１１の下端部を室外機５０の外側へ曲げて形成されている。内側曲げ部３２は、縦方向に延びる縦条部材１１のうち外側曲げ部３１を有していない縦条部材１１の下端部を室外機５０の内側へ曲げて形成されている。これによれば、保護部材１０が本来有する縦条部材１１の下端部を加工することで、新たな部品を追加することなく、圧接部３０を構成することができる。したがって、圧接部３０を設けたことによる部品点数の増加を低減することができ、ひいては製造工程や製造コストの増加を抑制することができる。
【００３４】
また、作業者は、保護部材１０を筐体６０に取り付ける際、例えば外側に曲げられた外側曲げ部３１と内側に曲げられた内側曲げ部３２と間に、筐体６０の立上り部６２２の上端部分を当てた後、保護部材１０を押し下げることで、圧接部３０に立上り部６２２を圧接することができる。これによれば、作業者は、外側曲げ部３１と内側曲げ部３２との間に立上り部６２２の上端部分が当たった感触を頼りに、保護部材１０を筐体６０に取り付けることができる。したがって、視認性の悪い室外機５０の背面下部に対する保護部材１０の取り付け作業性を、より向上させることができる。
【００３５】
更に、これによれば、作業者は、保護部材１０の取り付け及び取り外しの際に、保護部材１０の下端部を熱交換器５１の表面に沿わせて上下方向へ移動させる必要がない。したがって、保護部材１０と熱交換器５１とが擦れて、熱交換器５１が損傷してしまうことを極力低減することができる。
【００３６】
また、内側曲げ部３２は、第１湾曲部３２１と、第２湾曲部３２２と、を有している。第１湾曲部３２１は、室外機５０の内側へ向かって突出するように湾曲し、立上り部６２２の厚み方向へ弾性変形可能に構成されている。第２湾曲部３２２は、第１湾曲部３２１の下側に設けられており、室外機５０の外側へ向かって突出するように湾曲している。そして、第２湾曲部３２２と外側曲げ部３１の直線部３１２とは、保護部材１０が室外機５０に取り付けられていない状態において、立上り部６２２の厚み方向において少なくとも一部が重なっている。これによれば、立上り部６２２を、外側曲げ部３１の直線部３１２と内側曲げ部３２の第２湾曲部３２２との間により強固に保持することができる。したがって、保護部材１０が筐体６０から外れてしまうことを確実に防止することができる。
【００３７】
また、複数の第２湾曲部３２２のうち少なくとも１つは、立上り部６２２に形成された係止穴６２３に係止可能に構成されている。これによれば、保護部材１０が筐体６０から外れてしまうことを更に確実に防止することができる。
【００３８】
また、本実施形態において、弾性変形可能な第１湾曲部３２１は、外側曲げ部３１ではなく、内側曲げ部３２に設けられている。これによれば、保護部材１０を筐体６０に取り付けた状態において、立上り部６２２に対する外側曲げ部３１の外方への突出量を抑制することができる。
【００３９】
なお、上記実施形態では、第１湾曲部３２１及び第２湾曲部３２２を内側曲げ部３２に設ける構成としたが、この構成に限られない。例えば第１湾曲部３２１及び第２湾曲部３２２を外側曲げ部３１に設けても良い。この場合、第１湾曲部３２１は前方へ突出し、第２湾曲部３２２は後方へ突出する。また、この場合、第１曲げ部３１１、直線部３１２、及び第２曲げ部３１３を、内側曲げ部３２に設ければ良い。
【００４０】
以上、本発明の一実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００４１】
図面中、１０は保護部材、１１は縦条部材（条部材）、１２は横条部材（条部材）、２０は取り付け部、３０は圧接部、３１は外側曲げ部、３２は内側曲げ部、３２１は第１湾曲部、３２２は第２湾曲部、を示す。
【図１】
0006677550.tif 000002
【図２】
0006677550.tif 000003
【図３】
0006677550.tif 000004
【図４】
0006677550.tif 000005
【図５】
0006677550.tif 000006